(57)【要約】【課題】  光源と、この光源からの光を所望の方向に反射する斜面反射部を有する反射体と、光源からの光により表示を行う液晶パネルとを有する表示装置において、反射体の形成後に反射体を曲げることにより斜面反射部を形成できるようにする。【解決手段】  反射体１４に可撓部１４ｂが設けられるとともに突起１４ｃが設けられ、また液晶パネル１３の前面に組み付けられる前面ケース１５に突起１５ａが設けられており、前面ケース１５の組み付け時に両突起１４ｃ、１５ａが干渉することにより、反射体１４が可撓部１４ｂにて曲げられて斜面反射部１４ａが形成される。【選択図】        図１
2006092844.tif 000002
【特許請求の範囲】
【請求項１】
光源と、この光源からの光を所望の方向に反射する斜面反射部を有する反射体と、前記光源からの光により表示を行う表示部とを有する表示装置において、
前記反射体には、その一部に可撓部が設けられ、この可撓部にて前記反射体が曲げられて前記斜面反射部が形成されていることを特徴とする表示装置。
【請求項２】
前記光源からの光を前記表示部に導光する導光体を有し、前記光源は、前記導光体の長手方向の両端にそれぞれ設けられており、前記導光体が前記反射体の上に設置された後に、前記導光体の長手方向の両端において前記反射体が曲げられて前記斜面反射部が形成されていることを特徴とする請求項１に記載の表示装置。
【請求項３】
前記表示部の前面には、ケースが組み付けられており、このケースに突起が形成されるとともに、前記反射体にも突起が形成されており、前記ケースの組み付け時に前記両突起が干渉することにより、前記反射体が前記可撓部にて曲げられて前記斜面反射部が形成されていることを特徴とする請求項１または２に記載の表示装置。
【請求項４】
前記反射体には、この反射体が曲げられたときに前記斜面反射部と当接して前記光源からの光が漏れるのを防止する段差が設けられていることを特徴とする請求項１ないし３のいずれか１つに記載の表示装置。
【請求項５】
前記反射体には、この反射体が曲げられたときに前記斜面反射部と係合して前記斜面反射部を固定される係合部が設けられていることを特徴とする請求項１ないし４のいずれか１つに記載の表示装置。
【発明の詳細な説明】
【技術分野】
【０００１】
本発明は、光源からの光により表示部のバックライト照明を行うように構成された表示装置に関する。
【背景技術】
【０００２】
従来、この種の表示装置として種々のものが提案されている（例えば、特許文献１、２参照）。
【０００３】
図４（ａ）に、その一例としての従来の表示装置の断面構成を示す。この表示装置は、プリント基板（回路基板）１０に設置された光源（例えばＬＥＤ）１１からの光が導光体（プリズム）１２により導光され、その導光された光により表示部をなす液晶パネル１３のバックライト照明を行うように構成されている。プリント基板１０には、反射体１４が設置されており、導光体１２は、反射体１４に組み付けられている。この組み付けは、具体的には、図４（ｂ）に示すように、導光体１２を斜めにしてその斜面部を先に反射体１４に入れた後、回転させて行う。なお、反射体１４は、図４（ａ）では、断面構成であるため、２つの部品に分かれているように見えるが、それらは後述する実施形態で説明するように一体構成のものとなっている。また、液晶パネル１３の前面には、前面ケース１５に両面テープ１６で貼付けられた液晶パネル保護用の透明カバー１７が配置されている。
【０００４】
このような表示装置において、光源１１から上方に発光した光（図４（ａ）中の矢印で示す）は、導光板１２に入り、その多くは導光体１２の斜面にて全反射をして導光体１２内で横向きに向きを変えて光が進む。導光体１２の斜面で全反射しない光は、導光体１２から出射し、反射体１４の斜面反射部１４ａに形成された斜面で反射することで、再び導光体１２内に戻り、その後導光体１２内を横向きに進む。ここで、斜面反射部１４ａが無いと、光の利用効率が低下し、液晶表示のバックライトを十分に明るくすることができない。また、斜面反射部１４ａが無いと、斜め横方向から、表示部を見た場合に、表示部位の内部が光ってしまい、見栄えが悪くなる。
【特許文献１】特開２０００−１３７２１８号公報
【特許文献１】特開２００２−６２５２７号公報
【発明の開示】
【発明が解決しようとする課題】
【０００５】
上記した液晶パネル１３により、例えば、図５（ａ）に示すような車載エアコンの表示を行うことができる。液晶パネル１３のサイズが小さい場合は、図５（ａ）の矢印で示すように片側の光源１１からの光で光量が足りて、明るさ（例えば、輝度４〜１０ｃｄ/ｍ2）を確保することができるが、液晶パネル１３のサイズが大きくなった場合には、片側の光源１１からのみでは光量が不足してしまうため、図５（ｂ）に示すように、両側に光源１１を配置する必要がある。この場合、具体的には、図４（ａ）に示す構成に代えて、図６に示すような構成とし、両側に光源１１を配置するとともに、反射体１４の斜面も両側に設け、この反射体１４に図に示すような導光体１２を組み付ける必要がある。
【０００６】
しかしながら、導光体１２を反射体１４に組み付ける場合、図４（ｂ）で説明したように、導光体１２を斜めにしてその斜面部を先に反射体１４に入れた後、回転させて組付けるため、図６のように反射体１４の斜面反射部１４ａが両側にあると、反射体１４の上側から導光体１２を組み付けることができない。
【０００７】
この場合、図７に示すように、導光体１２の斜面部を無くし、反射体１４のみで反射し、その後、導光体１２の入射面に光を入れれば、組付け上の問題を解決できるが、導光体１２の斜面での反射に比べて、反射体１４での反射は反射効率が悪く、バックライト照明の輝度が低下してしまうという問題が生じる。
【０００８】
上記した問題は、反射体１４が一体的に構成され、斜面反射部１４ａの形状が予め決まっていることに起因する。したがって、このような問題は、上記したような導光体１２の組み付けの場合にのみ生じるのではなく、例えば反射体１４を希望する形状に形成する場合に、型構造上の抜きが成立しない場合にも生じ得る。
【０００９】
本発明は、反射体の形成後に反射体を曲げることにより斜面反射部を形成できるようにして、上記した問題を解決することを目的とする。
【課題を解決するための手段】
【００１０】
上記目的を達成するため、請求項１に記載の発明では、光源と、この光源からの光を所望の方向に反射する斜面反射部を有する反射体と、光源からの光により表示を行う表示部とを有する表示装置において、反射体には、その一部に可撓部が設けられ、この可撓部にて反射体が曲げられて斜面反射部が形成されていることを特徴としている。
【００１１】
このことにより、反射体の形成後に反射体を曲げて斜面反射部を形成することができる。
【００１２】
この場合、請求項２に記載の発明のように、光源からの光を表示部に導光する導光体を有し、光源は、導光体の長手方向の両端にそれぞれ設けられており、導光体が反射体の上に設置された後に、導光体の長手方向の両端において反射体が曲げられて斜面反射部が形成されるようにすれば、反射体の斜面反射部が両側にある場合において、反射体の上側から導光体を組み付けることができる。
【００１３】
また、請求項３に記載の発明のように、表示部の前面には、ケースが組み付けられており、このケースに突起が形成されるとともに、反射体にも突起が形成されており、ケースの組み付け時に両突起が干渉することにより、反射体が可撓部にて曲げられて斜面反射部が形成されるようにすれば、ケースの組み付け時に自動的に反射体の斜面反射部を曲げることができ、組付け作業の効率化を図ることができる。
【００１４】
また、請求項４に記載の発明のように、反射体には、この反射体が曲げられたときに斜面反射部と当接して光源からの光が漏れるのを防止する段差が設けられるようにすれば、反射体を曲げて斜面反射部を形成する場合であっても光源からの光の漏れを防止することができる。
【００１５】
また、請求項５に記載の発明のように、反射体には、この反射体が曲げられたときに斜面反射部と係合して斜面反射部を固定される係合部が設けられるようにすれば、斜面反射部を曲げた状態で確実に固定することができる。
【発明を実施するための最良の形態】
【００１６】
以下、本発明の一実施形態に係る表示装置について説明する。図１（ａ）に、この表示装置１の組み付け前の状態を示し、図１（ｂ）に、この表示装置１の組み付け前の状態を示す。図２に、各構成部品の分解斜視図を示す。
【００１７】
この表示装置は、プリント基板１０に設置された光源１１からの光が導光体１２により導光され、その導光された光により液晶パネル１３のバックライト照明を行うように構成されている。光源１１は、導光体１２の長手方向の両端にそれぞれ設けられている。また、プリント基板１０には、反射体１４が設置され、この反射体１４に導光体１２が組み付けられている。
【００１８】
液晶パネル１３の前面には、前面ケース１５に両面テープ１６で貼付けられた液晶パネル保護用の透明カバー１７が配置されている。この透明カバー１７は樹脂で形成されている。また、透明カバー１７の裏面には、両面テープ１６の貼り代の見栄えが悪化するのを隠すために、不透過な色が印刷されている。なお、前面ケース１５には、この前面ケース１５の組み付け時に、後述する反射体１４に設けた突起１４ｃと干渉させるための突起１５ａが設けられている。また、この前面ケース１５は図示しない部分で反射体１４および後面ケース（図示しない）とビス等で固定されている。
【００１９】
プリント基板１０には、光源１１となるＬＥＤの他、ＬＥＤの点灯回路、液晶パネル１３の駆動回路などが設置されている（図１、図２では、光源１１のみ図示）。
【００２０】
反射体１４は、光不透過で光反射効率の良い白色のＡＢＳ樹脂で成形されている。この反射体１４には、肉厚を薄くした撓み部（可撓部）１４ｂが設けられ、斜面反射部１４ａが容易に曲がり易くなっている。また、斜面反射部１４ａには、半円球状の突起１４ｃが設けられている。この反射体１４は、図２に示すように一体に構成されたもので、斜面反射部１４ａが曲げられたときに、反射体１４の側面壁に設けられた段差１４ｄにより、斜面反射部１４ａが当接して位置決めされるようになっている。また、反射体１４の斜面反射部１４ａが段差１４ｄに当接することにより、その部分で光源１１からの光が漏れるのを防止することができる。なお、斜面反射部１４ａにはツメ１４ｅが設けられ、側面壁にはツメ穴部１４ｆを設けられており、ツメ１４ｅとツメ穴部１４ｆによる係合部が係合することにより、斜面反射部１４ａが側面壁に確実に固定される。
【００２１】
導光体１２は、無色透明で光透過性の高い樹脂（ＰＣ、ＰＭＭＡ）で成形されており、入射面や、斜面反射部１４ａは、鏡面仕上げされている。また、その底面は、液晶パネル１３に向かって凹凸形状や、シボ形状となっている。この導光体１２は、導光体１２外周と反射体１４内周で位置決めされ、液晶パネル１３と反射体１４に挟まれて固定されている。
【００２２】
液晶パネル１３は、例えばＴＮポジ表示の液晶を用いたもので、両面に偏光板、裏面に拡散板が貼付けられている。この液晶パネル１３には、電気信号導通のためのリードピン（図示していない）が付けられており、このリードピンはプリント基板１０に半田付け固定されている。
【００２３】
次に、上記した表示装置は、次のような順序で組付けされる。
【００２４】
まず、光源１１となるＬＥＤおよび種々の電子回路が搭載されたプリント基板１０の上に、反射体１４を設置し、それをビス締めして固定する。
【００２５】
次に、反射体１４の上に導光体１２を設置する。なお、反射体１４が樹脂成形される時点では、反射体１４の斜面反射部１４ａは図１（ｂ）に示すように真っ直ぐになっているため、導光体１２の組付けはその斜面部が反射体１４と干渉することがなく、上からスムーズに組み付けることができる。
【００２６】
この後、導光体１２の上に液晶パネル１３を設置し、そのリードピンをプリント基板１０に半田付けする。
【００２７】
続いて、透明カバー１７の貼付けられた前面ケース１５を組み付ける。この際、前面ケース１５に設けられた突起１５ａが、反射体１４の斜面反射部１４ａに設けられた突起１４ｃと干渉し、前面ケース１５の組み付けのために下向きに押される力の分力にて、反射体１４の斜面反射部１４ａが撓み部１４ｂを支点として弾性変形（あるいは塑性変形）し、反射体１４の側面壁あるいは、導光体１２に当たる。
【００２８】
このように、反射体１４の斜面反射部１４ａおよび前面ケース１５に突起１５ａを設け、前面ケース１５組付け時に両者を干渉させることで反射体１４の斜面反射部１４ａを可動させることができ、反射体１４の斜面反射部１４ａをわざわざ手で折り曲げることなく、一連の組付け作業において、自動的に折り曲げすることができるため、組付け作業の効率化を図ることができる。
【００２９】
（他の実施形態）
反射体１４としては、図１、図２に示すもの以外に種々のものとすることができる。例えば、図３に示すように、突起１４ｃは半円球状のものでなく、三角形状のものであってもよい。また、反射体１４の斜面反射部１４ａが形成された面は面一（同一平面）でなく、図３に示すように段が設けられたものであってもよい。また、斜面反射部１４ａが段差１４ｄに当接して固定される場合には、ツメ１４ｅ、ツメ穴部１４ｆはなくてもよい。
【００３０】
表示部としては、液晶パネル１３を用いて表示を行うものの他、計器の文字盤であってもよい。また、光源としては、ＬＥＤの他、ランプ等の発光素子であってもよい。
【００３１】
また、上記した実施形態では、反射体１４の斜面反射部１４ａおよび前面ケース１５に突起１５ａを設け、前面ケース１５の組付け時に両者を干渉させることで反射体１４の斜面反射部１４ａを可動させるものを示したが、そのような両突起１５ａ、１４ｃを設けずに、手動で反射体１４の斜面反射部１４ａを可動させるようにしてもよい。この場合、反射体１４をプリント固定する前に、反射体１４の上に導光体１２を設置し、この状態で反射体１４の斜面反射部１４ａを可動させる。
【００３２】
また、上記した実施形態では、表示部への導光部に導光体１２を設け、反射体１４の斜面反射部１４ａを撓み部１４ｂにて屈曲させて、組付け性、照明効率の向上を実現するものを示したが、導光部に導光体１２が無いものにも本発明を適用することができる。例えば、反射体１４の斜面反射部１４ａを図１に示すものよりもその斜面方向に長くして、外側（例えば、運転席、助手席）から表示部を見た場合の遮光性を高めるような構成とする場合、反射体１４をそのような形状にするには、型構造上の抜きが成立しないときに、反射体１４の斜面反射部１４ａを撓み部１４ｂにて屈曲させるようにすれば、そのような反射体１４の形状を得ることができる。
【図面の簡単な説明】
【００３３】
【図１】本発明の一実施形態に係る表示装置の構成を示す図である。
【図２】図１中の各構成部品の分解斜視図である。
【図３】反射体の他の構成を示す図である。
【図４】従来の表示装置の構成を示す図である。
【図５】液晶パネルの表示を示す図である。
【図６】発明が解決しようとする課題の説明に供する図である。
【図７】発明が解決しようとする課題の説明に供する図である。
【符号の説明】
【００３４】
１０…プリント基板、１１…光源、１３…液晶パネル、１４…反射体、１４ａ…斜面反射部、１４ｂ…撓み部（可撓部）、１４ｃ…反射体に設けられた突起、１５…前面ケース、１５ａ…前面ケースに設けられた突起、１６…両面テープ、１７…透明カバー。
【図１】
2006092844.tif 000003
【図２】
2006092844.tif 000004
【図３】
2006092844.tif 000005
【図４】
2006092844.tif 000006
【図５】
2006092844.tif 000007
【図６】
2006092844.tif 000008
【図７】
2006092844.tif 000009